(57)【要約】【課題】弁棒と弁棒受入部との隙間からの冷媒漏れを防止することが出来る空気調和機の三方弁を提供する。【解決手段】Ｏリング２１を装着した弁棒１５が螺着される弁棒受入部１６と、室内機熱交換器（図示せず）側の接続配管（図示せず）に接続される室内配管側ポート１２と、室外機熱交換器（図示せず）側の接続配管とロウ付けされる室外配管側ポート１３と、バルブコアを装着したサービスポート１４とを備え、弁棒１５の雄ネジ部１５ａ及び弁棒受入部１６の雄ネジ部１５ａが螺着される雌ネジ部１６ａにグリス２３を塗布したもので、接続配管とのロウ付け部に、配管ロウ付けフラックス除去のための酸処理を施した際に、液側三方弁１０の本体１１の筒部の面粗さが悪くなり、しかも冷媒によりＯリング２１が収縮しても、弁棒１５と弁棒受入部１６の隙間からの冷媒漏れを防止することが出来る。【選択図】図２
2009250274.tif 000002
【特許請求の範囲】
【請求項１】
Ｏリングを装着した弁棒が螺着される弁棒受入部と、空気調和機の室内機熱交換器に連通する接続配管に接続される室内配管側ポートと、前記空気調和機の室外機熱交換器に連通する接続配管に接続される室外配管側ポートと、バルブコアを装着したサービスポートとを備え、前記弁棒の雄ネジ部及び前記弁棒受入部に設けられ前記雄ネジ部が螺着される雌ネジ部にグリスを塗布したことを特徴とする空気調和機の三方弁。
【請求項２】
低温流動性に優れたグリスを用いたことを特徴とする請求項１に記載の空気調和機の三方弁。
【発明の詳細な説明】
【技術分野】
【０００１】
本発明は、主に冷凍機・空気調和機の冷媒配管系に介装する三方弁に関するものであって、特に弁体の通路を弁棒による開閉操作位置によるシール構造の改善に係るものである。
【背景技術】
【０００２】
従来、空気調和機の冷媒回路は、室内機と室外機を冷媒配管により接続して構成され、その冷媒回路は、配管接続後に室内側をエアーパージ及び冷媒封入するためサービスポートを有する三方弁を備えている。三方弁の弁キャップを外し弁棒を開閉することにより、室内外間に於ける冷媒を連通するか閉止するかの操作を行うものである。そして、弁キャップを外した時弁棒からの冷媒漏れを防止するため複数のＯリングを備えている（例えば、特許文献１参照）。
【特許文献１】特開平８−２９７０６７号公報
【発明の開示】
【発明が解決しようとする課題】
【０００３】
しかしながら、上記従来の構成では、弁棒にＯリングを複数取りつけているため、三方弁の本体寸法が大きくなり室外機の配管カバーサイズが大きくなるという課題を有していた。また三方弁は、真鍮材で出来ており室外機内の冷凍サイクル部品と接続銅配管とは、ロウ付けする際フラックス剤を使用する為、ロウ付け後酸処理を行う必要があり、酸処理により三方弁内面加工精度が悪くなり、弁棒に取りつけられた複数のＯリングとの間に僅かな隙間が発生し冷媒漏を発生させるという課題を有していた。
【０００４】
本発明はこのような従来の課題を解決するもので、低温冷媒が充満しても、弁棒と弁棒受入部間での冷媒漏れを防止し、高い気密性を有した空気調和機の三方弁を提供する事を目的とする。
【課題を解決するための手段】
【０００５】
上記従来の課題を解決するために、本発明の空気調和機の三方弁は、Ｏリングを装着した弁棒が螺着される弁棒受入部と、空気調和機の室内機熱交換器に連通する接続配管に接続される室内配管側ポートと、前記空気調和機の室外機熱交換器に連通する接続配管に接続される室外配管側ポートと、バルブコアを装着したサービスポートとを備え、前記弁棒の雄ネジ部及び前記弁棒受入部に設けられ前記雄ネジ部が螺着される雌ネジ部にグリスを塗布したもので、接続配管と室外配管側ポートとのロウ付け部に、配管ロウ付けフラックス除去のための酸処理を施した際に、三方弁本体筒部の面粗さが悪くなっても、弁棒の雄ネジ部と弁棒受入部の雌ネジ部にグリスを塗布することにより、冷媒によりＯリングが収縮しても、弁棒と弁棒受入部の隙間からの冷媒漏れを防止することが出来る。
【発明の効果】
【０００６】
本発明の空気調和機の三方弁は、接続配管と室外配管側ポートとのロウ付け部に、配管ロウ付けフラックス除去のための酸処理を施した際に、三方弁の本体筒部の面粗さが悪くなっても、弁棒のネジ部と弁棒受入部の雌ネジ部にグリスを塗布することにより、冷媒によりＯリングが収縮しても、弁棒と弁棒受入部の隙間からの冷媒漏れを防止することが出来る。
【発明を実施するための最良の形態】
【０００７】
第１の発明は、Ｏリングを装着した弁棒が螺着される弁棒受入部と、空気調和機の室内
機熱交換器に連通する接続配管に接続される室内配管側ポートと、前記空気調和機の室外機熱交換器に連通する接続配管に接続される室外配管側ポートと、バルブコアを装着したサービスポートとを備え、前記弁棒の雄ネジ部及び前記弁棒受入部に設けられ前記雄ネジ部が螺着される雌ネジ部にグリスを塗布したもので、接続配管と室外配管側ポートとのロウ付け部に、配管ロウ付けフラックス除去のための酸処理を施した際に、三方弁本体筒部の面粗さが悪くなっても、弁棒の雄ネジ部と弁棒受入部の雌ネジ部にグリスを塗布することにより、冷媒によりＯリングが収縮しても、弁棒と弁棒受入部の隙間からの冷媒漏れを防止することが出来る。
【０００８】
第２の発明は、特に、第１の発明の空気調和機の三方弁において、低温流動性に優れたグリスを用いたもので、弁棒と弁棒受入部の隙間からの冷媒漏れをより確実に防止することが出来る。
【０００９】
以下、本発明の実施の形態について、図面を参照しながら説明する。なお、この実施の形態によって本発明が限定されるものではない。
【００１０】
（実施の形態１）
図１は、本発明の第１の実施の形態における空気調和機の三方弁を搭載した空気調和機の冷媒回路図、図２は、同空気調和機の三方弁の断面図である。
【００１１】
図１、２において、室外機１の圧縮機２より吐出した冷媒が四方弁３より室外機熱交換器４に流れ凝縮され、膨張弁５を流れてガス側三方弁６より接続配管７にて室内熱交換器８に流れ室内熱交換器８で蒸発した冷媒が接続配管９を経て液側三方弁１０から前記四方弁３より圧縮機２に戻るサイクルである。
【００１２】
図２において、本実施の形態における空気調和機の液側三方弁１０の構成と動作について説明する。
【００１３】
液側三方弁１０の本体１１の四方には、室内配管側ポート１２と、室外配管側ポート１３と、サービスポート１４と、弁棒１５が螺着される弁棒受入部１６が設けられている。２２は、弁棒受入部１６内に外部から塵埃が侵入するのを防止するための弁棒キャップである。
【００１４】
室内配管側ポート１２には、室内熱交換器８に接続された接続配管９がフレアナット１７を介して接続され、室外配管側ポート１３には、銅管１８がフラックス剤を介してロウ付け接続されて同様に室外熱交換器４側の接続配管２５に接続されるようになっている。サービスポート１４には、バルブコア１９が挿入されておりサービスポートキャップ２０が取りつけられている。通常は密封されているが、空気調和機の設置時には、このサービスポート１４から真空引きを行う。
【００１５】
弁棒１５は真鍮材からなり、雄ネジ部１５ａ、六角レンチ用挿入穴１５ｂ、Ｏリング２１を介装する溝部１５ｃを一体に備えている。弁棒１５の雄ネジ部１５ａは、弁棒受入部１６に設けた雌ネジ部１６ａと螺合しており、六角レンチ用挿入穴１５ｂに六角レンチ（図示せず）を挿入して回転操作することにより弁棒１５を進退させることができるようになっている。
【００１６】
また、雄ネジ部１５ａには、厚みが約６ミクロンの樹脂コーティングの薄膜処理が施され、さらに、低温流動性に優れたスミテック３１０などのグリス２３が施されている。
【００１７】
弁棒受入部１６は真鍮材からなり、雌ネジ部１６ａには、低温流動性に優れたスミテッ
ク３１０などのグリス２３が施されている。またＯリング２１の周囲にもグリス２３が塗布されている、このことにより冷媒の温度により収縮していたＯリング２１と本体１１との隙間にグリス２３が入り込み冷媒漏れを確実に防止できる。
【産業上の利用可能性】
【００１８】
本発明にかかる空気調和機の三方弁は、本体筒部の面粗さが悪くなっても、冷媒によりＯリングが収縮しても、弁棒と弁棒受入部の隙間からの冷媒漏れを防止することが出来るので、空気調和機はもとより、冷媒を封入したあらゆる冷凍機械に適用することができる。
【図面の簡単な説明】
【００１９】
【図１】本発明の実施の形態１における空気調和機の三方弁を搭載した空気調和機の冷媒回路図
【図２】（ａ）同空気調和機の三方弁の断面図（ｂ）同三方弁の分解断面図
【符号の説明】
【００２０】
１  室外機
２  圧縮機
３  四方弁
４  室外機熱交換器
５  膨張弁
６  ガス側三方弁（三方弁）
７、９、２５  接続配管
８  室内機熱交換器
１０  液側三方弁（三方弁）
１１  本体
１２  室内配管側ポート
１３  室外配管側ポート
１４  サービスポート
１５  弁棒
１５ａ  雄ネジ部
１５ｂ  六角レンチ挿入穴
１５ｃ  溝部
１６  弁棒受入部
１６ａ  雌ネジ部
１７  フレアナット
１８  銅管
１９  バルブコア
２０  サービスポートキャップ
２１  Ｏリング
２２  弁棒キャップ
２３  グリス
【図１】
2009250274.tif 000003
【図２】
2009250274.tif 000004